(57)【要約】【課題】  ウエイトリフティング用ウエイトディスクに対し、外周部を持って持ち上げる動作を容易に成す。【解決手段】  ウエイトリフティング用のバーベルＡに装着するウエイトディスク１ａにおいて、上記ウエイトディスク本体の外周部の断面を外側へ向けてテーパする様に形成し、ウエイトディスク１ａ〜１ｃ同士を重ねた際、又は床面ｄ上に置いた際にウエイトディスク１ａの外周に指を入れることのできる間隙ｃ，ｃ’を設け、持ちやすさを向上する。【選択図】      図１
0003108217.tif 000002
【実用新案登録請求の範囲】
【請求項１】
ウエイトリフティング用ウエイトディスクにおいて、ウエイトディスク本体の外周部の断面を外側へ向けてテーパする様に形成して成るウエイトリフティング用ウエイトディスク。    
【請求項２】
前記ウエイトディスク本体の外周部の断面を略半楕円形に形成して成る請求項１記載のウエイトリフティング用ウエイトディスク。
【請求項３】
前記ウエイトディスク本体の外周部の側面に指掛け用凹溝を周設して成る請求項１又は２記載のウエイトリフティング用ウエイトディスク。
【請求項４】
前記ウエイトディスク本体の外周部をゴム若しくは合成樹脂等の弾性材により構成した請求項１乃至３の何れか１項記載のウエイトリフティング用ウエイトディスク。
【請求項５】
前記ウエイトディスク本体の側面に広告表示用の表示面を設けて成る請求項１乃至４の何れか１項記載のウエイトリフティング用ウエイトディスク。
【考案の詳細な説明】
【技術分野】
【０００１】
本考案は、ウエイトリフティング競技 及びトレーニング等に用いるウエイトディスクに関し、さらに詳しくは、バーベルのバーに対して取付け、取り外しが容易且つ安全に行なうことのできるウエイトリフティング用ウエイトディスクに関する。
【背景技術】
【０００２】
図６及び図７は従来のウエイトリフティング用ウエイトディスクを示している。従来、ウエイトリフティング競技やトレーニング等に用いるバーベル１００のウエイトディスク１０２は、バー１０１の両端のスリーブ１０１ａに必要枚数枚のウエイトディスク１０２を順次嵌挿して隙間無く重ね合わせて装着している（図６）。ウエイトディスク１０２は、スリーブ１０１ａ端からクランプ１０３を嵌挿して一番外側のウエイトディスク１０２の側面中心部に突き当て、レバー１０３ａを回してスリーブ１０１ａを締め付け、該スリーブ１０１ａとストッパ１０１ｂとの間に各ウエイトディスク１０２を挟む形で固定している。ウエイトディスク１０２の取付け、取り外しはウエイト重量を増減する度に行なうため、上記した作業は安全且つ容易に行なう必要がある。
【０００３】
また、上記したような従来のウエイトディスク１０２は、中心部の金属製ウエイト１０２ａとその外周に周設した弾性体１０２ｂとから成り、その外周面は小さな面取りが成されるものの、その断面は略コ型（略直角）に形成され、円柱を輪切りにしたものの周面と同様の形態である。したがって、ウエイトディスクを床面上等に置いた場合は、ウエイトディスク１０２外周と床面との間は隙間無く密着した状態となる（図７）。よって、床面上に置かれたウエイトディスク１０２を持ち上げる際に、使用者はディスクの外周面に指を当てて持ち上げ、そのまま移動することになるが、その際、ウエイトディスク１０２が重いので指先にかなりの力を入れる必要となり、さらに滑り易いので作業がやりづらく、競技中におけるウエイトディスク１０２の交換作業に時間がかかってしまうこともあった。
また、従来のウエイトディスク１０２は、バー１０１のスリーブ１０１ａに嵌挿して既に装着してあったウエイトディスク１０２と重ね合わせた状態において、各ウエイト１０２の間は略隙間無く付き合わせた状態となる（図６）。
したがって、重ね合わしたウエイトディスク１０２を取り換える際、使用者は最も外側に装着したウエイトディスク１０２の外周に指を掛け、スリーブ１０１ａの端部に向けてスライドさせて抜き取ることになる。
しかし、上記したウエイトディスク１０２は外周部が円柱の外周面の様に形成され、外周面の角に小さな面取りやＲ加工が施される程度であるため、指を掛けづらく、このため使用者の指先に負担がかかり、やはりウエイトの交換作業に手間取ることがあった（例えば特許文献１参照）。
【０００４】
また、同様にウエイトディスク１０２を追加する作業では、ディスク外周を持ってスリーブ１０１ａに嵌挿し、さらに同スリーブ１０１ａに沿ってスライドさせるが、既に装着されるウエイトディスク１０２の側面に突き当てる際に、いきおい余って追加するウエイトディスクの外周に掛けた指を挟んでしまうこともあり、ケガをしないように、その作業は慎重に行なう必要があった。
【０００５】
【特許文献１】実公昭５８−８２７３号公報
【考案の開示】
【考案が解決しようとする課題】
【０００６】
本考案は上記従来事情に鑑みてなされたものであり、その課題とする処は、ウエイトリフティング用ウエイトディスクに係り、バーベルのバーのスリーブにディスクを嵌挿する作業を容易に且つ安全に行なえる機能を具備せしめることにある。
【課題を解決するための手段】
【０００７】
上記課題を解決するために第一の考案は、ウエイトリフティング用ウエイトディスクにおいて、ウエイトディスク本体の外周部の断面を外側へ向けてテーパする様に形成したものである。
【０００８】
また、第二の考案は、ウエイトディスクの外周部の断面を略半楕円形に形成したものである。
【０００９】
また、第三の考案は、請求項１又は２記載のウエイトリフティング用ウエイトディスクにおいて、ウエイトディスクの外周部の側面に指掛け用凹溝を周設して成るものである。
【００１０】
また、第四の考案は、請求項１乃至３記載のウエイトリフティング用ウエイトディスクにおいて、ウエイトディスクの外周部をゴム若しくは合成樹脂等の弾性材により構成したものである。
【００１１】
第五の考案は、請求項１乃至４記載のウエイトリフティング用ウエイトディスクにおいて、ウエイトディスクの側面に広告表示用の表示面を設けて成るものである。
【考案の効果】
【００１２】
本考案は、以上説明したように構成されているので、以下に記載されるような作用効果を奏する。
第一の考案は、ウエイトディスク本体の外周部の断面を外側へ向けてテーパする様に形成したものであるから、複数枚のウエイトディスクを重ね合わせた状態で装着した際に、ウエイトディスク同士の外周部の間に指を差し入れることのできる略Ｖ形の隙間を作ることができる。
よって、重いウエイトディスクを持ち上げる作業や、バーから取り外す作業も、ディスクの外周の隙間に指を差し込んで、同ディスク外周部の裏側に指を掛け、床面から持ち上げたり、バーのスリーブに沿ってディスクをスライドさせたりする作業を容易に行なうことができる。また、ウエイトディスクを追加する場合は、ディスクの外周に指を掛けたままスライドさせ、既に装着されるウエイトディスクの外側側面に突き当てても、重なり合うウエイトディスク同士の外周部には指先が入るだけの間隙ができているので、作業中に勢い余ってディスク間に指先を挟んでしまうようなこともなく、作業の安全性を確保することができる。
【００１３】
また、第二の考案では、上記請求項１記載のウエイトリフティング用ウエイトディスクにおいて、そのウエイトディスクの外周部の断面を略半楕円形に形成したものであるから、綺麗な曲面により美的な外観を維持しつつ、上記したものと同様に、容易な作業性と作業の安全性を維持することができる。
【００１４】
さらに、第三の考案は、請求項１又は２記載のウエイトリフティング用ウエイトディスクにおいて、ウエイトディスクの外周部の側面に指掛け用凹溝を周設して成るものであるから、重いウエイトディスクを持ち上げたり、バーから取り外したりする作業も、ディスクの外周にできる隙間に指を差し込み、上記指掛け用凹溝に指を掛けた状態を維持できるので、グリップ性が向上し、作業性をより良好に成すことができる。
【００１５】
第四の考案は、請求項１乃至３記載のウエイトリフティング用ウエイトディスクにおいて、ウエイトディスクの外周部をゴム若しくは合成樹脂等の弾性材により構成したものであるから、ウエイトディスクの外周部を握った際のグリップ性や触感を向上することができる。
【００１６】
第五の考案は、請求項１乃至４記載のウエイトリフティング用ウエイトディスクにおいて、ウエイトディスクの側面に広告表示用の表示面を設けて成るものである。このウエイトディスクによれば、競技中に目の行きやすいウエイトディスクの側面を、競技会スポンサーのロゴやマーク等を表示するスペースとして利用することができる。
【考案を実施するための最良の形態】
【００１７】
以下、本考案の実施の形態を図面に基づいて説明する。
図１は、本考案を実施したウエイトディスク１ａ〜１ｃを装着したウエイトリフティング用のバーベルＡを示している。バーベルＡは、バーａと、このバーａの両端部に設けたスリーブａ１に嵌挿して装着するウエイトディスク１ａ〜１ｃとから成る。各ウエイトディスク１ａ〜１ｃは、上記スリーブａ１に設けたストッパ１１とクランプ１２との間に挟まれる形で取付け、及び取り外し可能に装着される。尚、本実施例の場合、バーａに装着するウエイトディスクは１ａ〜１ｃの３枚の場合を示したが、このウエイトディスクは必要なバーベルの設定重量に応じて増減することになる。また、個々のウエイトディスクは重量の異なるものを必要種類用意する。
【００１８】
図１及び図２（ａ）はディスク１ａを示す縦断面図である。このディスク１ａは、バーａのスリーブａ１に嵌挿する金属製の金属ウエイト２とその外周に取り付けられる弾性体３とで構成してある。金属ウエイト２は一対の円形板２ａ，２ｂを重ね合わせ、円周に沿って配置した５本のボルト２ｃにより結合して成り、これら円形板２ａ，２ｂの組み合わせにより、その外周部に凹溝２ｄを形成し、且つ、金属ウエイト２の中心部にはスリーブａ１を嵌挿する嵌挿孔２ｅが穿設してある。上記した凹溝２ｄは、弾性体３の内周に沿って周設した凸部３ａを嵌合させるためのものであり、これらの嵌合により金属ウエイト２の外周部にゴム若しくは合成樹脂から成る弾性体３を強固に固定している。尚、上記したウエイトディスク１ａ〜１ｃは金属ウエイト２と弾性体３とを足した重量が設定重量、例えば１０kg，１５kg，２５kgとなるように調整してある。
【００１９】
上記したように構成されるウエイトディスク１ａは、弾性体３外周部の断面形状をテ−パ状に形成し、その先端部を円弧状に丸めることにより、略半楕円形の断面形と成してある。これにより、装着状態にある各ウエイトディスク１ａ〜１ｃの外周部の間に略Ｖ字形の隙間ｃが生じることになる（図１）。また、ウエイトディスク１ｂ及び１ｃも上記したウエイトディスク１ａと同様に構成してある。よって、装着状態において、各ウエイトディスク１ａ〜１ｃは各々の円弧部最外周部だけが接触する状態となる。
上記したような装着状態において、ウエイトディスク１ａ〜１ｃの交換作業を行なう場合、各ウエイトディスク１ａ〜１ｃの外周部に出来るＶ字形の間隙ｃに指先を差し入れてディスクを持つことができるので、作業がしやすく、クランプ１２を取り外し、ウエイトディスク１ａ〜１ｃを取り外す動作が自然とスピーディーとなる。また、図４にて示すように、ウエイトディスク１ａ’を追加する場合等も、外側に位置するウエイトディスク１ａ外周との間に指を挟んでしまう心配もない。
さらに、図５にて示すように、床面上に置いてあるウエイトディスク１ａを持ち上げる際にも、床面とディスク外周部との間に隙間ｃ’が出来るので、重いウエイトディスク１ａでも容易に持ち上げ、そのまま装着動作に移行することができる。
【００２０】
尚、上記した実施例ではウエイトディスク１ａ〜１ｃの外周部断面をテ−パ面と円弧面とから構成して略楕円形に構成したが、同断面は略Ｖ形の間隙ができるようにテーパしていれば良く、例えば正確な楕円であっても、直線を組み合わせてテ−パ状の断面を構成してもよい。図２（ｂ）にて示すウエイトディスク１ｄは外周部の断面形を略台形に形成してテ−パ状に成したものである。また、このウエイトディスク１ｄは、弾性体３’の外周部に沿って両側面に円弧状の凹溝４を周設し、この凹溝４に指先を掛けることができるように構成してある。このように凹溝４を設けることにより、 ウエイトディスク１ｄを持ち運ぶとき持ちやすく、作業動作もより容易になる。これらはウエイトディスクの交換作業をスピーディーなものとし、競技時間の短縮につながるので好ましい。
【００２１】
図３にて示すウエイトディスク１ｅは、ディスクの側面、この場合、弾性体３の外側面に表示面５を形成し、この表示面５に同ウエイトディスク１ｅの重量を示す重量表示７と共に、競技会のスポンサーのマーク６ａ〜６ｃを表示したものであり、競技中に注目される選手とともに目立った存在となり、スポーツに係わる広告宣伝に貢献することができる。尚、上記したマークやロゴは表示面に印刷しても若しくは凸状に浮き彫りにしてもよく、さらにシールに印刷して貼り付けても良い。
【図面の簡単な説明】
【００２２】
【図１】本考案を実施したウエイトディスクを装着したバーベルの一端部を一部切欠して示す正面図。
【図２】（ａ）は本考案を実施したウエイトディスクを示す縦断面図、（ｂ）はディスク外周の断面形を略台形に形成したウエイトディスクを示す縦断面図。
【図３】ディスク側面にスポンサー等の表示面を設けたウエイトディスクを示す側面図。
【図４】バー一端のスリーブにウエイトディスクを追加装着した状態を示す斜視図。
【図５】床面上に置いたウエイトディスクを持ち上げる状態を示す斜視図。
【図６】従来のウエイトディスクを装着したバーベルの一端部を一部切欠して示す正面図。
【図７】床面上に置いた従来のウエイトディスクを持ち上げる状態を示す斜視図。
【符号の説明】
【００２３】
Ａ・・・バーベル
ａ・・・バー
ａ１・・・スリーブ
１ａ，１ｂ，１ｃ，１ｄ，１ｅ・・・ウエイトディスク
ｃ，ｃ’・・・間隙
２・・・金属ウエイト
３・・・弾性体
４・・・凹溝
５・・・表示面
６ａ〜６ｃ・・・マーク
【図１】
0003108217.tif 000003
【図２】
0003108217.tif 000004
【図３】
0003108217.tif 000005
【図４】
0003108217.tif 000006
【図５】
0003108217.tif 000007
【図６】
0003108217.tif 000008
【図７】
0003108217.tif 000009